(57)【要約】【課題】画質劣化なくＯＳＤ信号を表示させる画像表示装置を提供する。【解決手段】異なる解像度の動画像及び非動画像を合成して表示する画像表示装置において、前記動画像の解像度を変換する動画像変換手段と、前記非動画像の解像度を変換する非動画像変換手段と、前記非動画像のかわりに非動画を生成する領域外非動画像生成手段と、前記非動画像と前記領域外非動画像生成手段との出力を切り替える切り替え手段と、前記動画像変換手段の出力と前記出力切り替え手段との出力を合成する合成手段とを備えたもので、生成されたＯＳＤデータ以外の領域を領域外ＯＳＤにて表示させることにより、画質劣化のないＯＳＤを、違和感なく表示させることが可能となる。【選択図】図１
2006030353.tif 000002
【特許請求の範囲】
【請求項１】
異なる解像度の動画像及び非動画像を合成して表示する画像表示装置において、前記動画像の解像度を変換する動画像変換手段と、前記非動画像の解像度を変換する非動画像変換手段と、前記非動画像のかわりに非動画を生成する領域外非動画像生成手段と、前記非動画像と前記領域外非動画像生成手段との出力を切り替える切り替え手段と、前記動画像変換手段の出力と前記出力切り替え手段との出力を合成する合成手段とを備える画像表示装置。
【請求項２】
領域外非動画像生成手段における生成画像が非動画像信号の端点画像であることを特徴とする請求項１記載の画像表示装置。
【請求項３】
領域外非動画像生成手段における生成画像が指定された一つの色信号であることを特徴とする請求項１記載の画像表示装置。
【発明の詳細な説明】
【技術分野】
【０００１】
本発明は、動画像及び非動画像を表示する画像表示装置において、異なる解像度の動画像及び非動画像を合成し、固定解像度で表示する画像表示装置に関するものである。
【背景技術】
【０００２】
ＢＳデジタルテレビ放送や、地上波デジタルテレビ放送などのデジタルテレビ放送が、近年急速に普及しつつあるが、デジタルテレビ放送を受信するデジタルテレビ放送受信機や、セットトップボックスなどでは、データ放送などにおいて、動画像と、静止画や、文字や図形、字幕などの非動画像（以下グラフィックという）とを合成して表示することがなされている。また、受信機の利便性を高めるものとして、ＥＰＧ（Ｅｌｅｃｔｒｏｎｉｃ  Ｐｒｏｇｒａｍ  Ｇｕｉｄｅ）などの番組情報もグラフィックとして表示される受信機も普及してきている。
【０００３】
一方、表示デバイスが多様化するにつれて、標準以外の画素数を求められることも多くなってきた。特に、表示デバイスとしてドットマトリクス形式で表示を行う、液晶ディスプレイや、プラズマディスプレイなどでは、固定解像度に変換して表示させる必要があるが、コンピュータ用ディスプレイとの親和性も加味した解像度が採用されることが多い。アスペクト比も考慮した例をあげると、「ＷＸＧＡ（ワイドＸＧＡ）用ディスプレイとして、アスペクト比が１６：９の場合」には、「水平  １３６６画素、垂直  ７６８画素」、「水平  １２８０画素、垂直  ７２０画素」、また「アスペクト比が１５：９のディスプレイとして」「水平  １２８０画素、垂直  ７６８画素」などの解像度のパネルがあり、今後も各種の解像度を持つディスプレイが採用される可能性がある。
【０００４】
このようなディスプレイに対して、入力する動画像フォーマット、グラフィックフォーマットが異なっていると所望の解像度に変換する必要があるが、従来は動画像フォーマットに合わせて動画像及びグラフィック用非動画像の合成を行った上で、所望の解像度への変換を行っていた。この際に、グラフィック用非動画像は、ＯＳＤ（Ｏｎ  Ｓｃｒｅｅｎ  Ｄｉｓｐｌａｙ）として生成された後に、動画像との合成を行っている。
【０００５】
一方、以下の（特許文献１）にあるように、ＯＳＤ用信号は、エッジが急峻な画像であり、解像度変換などを施すとぼけてしまうという問題があり、（特許文献１）においては、合成手段の前に解像度変換（以降、スケーリングという）手段を持つことで放送事業者やユーザが合成によって発生する画質劣化を最小限に抑えることが出来る表示装置が提供されている。
【０００６】
図４は従来の画像表示装置の構成図である。（特許文献１）を参照すれば、図４において、動画信号、グラフィック（ＯＳＤ）信号は、スケーリングが必要と判断されれば、それぞれ、動画像変換手段、ＯＳＤ変換手段において、所望のスケーリングを行った後に合成手段によってα値で指定された比率で合成され出力される。また、ＯＳＤの画質を優先する場合には、ＯＳＤスケーリングを行わずに出力することが可能である構成となっている。しかしながら、前述したように各種の固定解像度が機器ごとの表示ディスプレイに存在する場合には、画質劣化をおさえるためには、それぞれの固定解像度と同じサイズのＯＳＤを生成するする必要があり、生成用の制御ソフトを個別に作るなど受信機のコスト負担がかかる構成となっている。
【特許文献１】特開２００３−３３８９９１号公報
【発明の開示】
【発明が解決しようとする課題】
【０００７】
前述のように、動画像とＯＳＤ画像を画質劣化なく所望の解像度に変換して出力する場合に、所望の解像度に変換した後に合成する手段を用いても、解像度と同じサイズのＯＳＤを表示ディスプレイ毎に解像度の異なる各機器毎に生成する必要があるという問題があった。また、解像度変換を施さずに中央位置にＯＳＤ信号を表示させると、ＯＳＤが表示されない領域に動画像のみが常に表示されることになり、ＯＳＤ画面などのデザインが制約され、ユーザにとっても見づらい画面となる可能性がある。
【課題を解決するための手段】
【０００８】
異なる解像度の動画像及び非動画像を合成し、固定解像度に変換して表示する画像表示装置において、生成されたＯＳＤ信号と、表示される解像度が異なる場合に、生成ＯＳＤ画像以外の領域を表示するための領域外ＯＳＤ生成行うことが可能となることを最も主要な特徴とする。
【発明の効果】
【０００９】
本発明によって、ＯＳＤ画像を画質劣化させず、かつ違和感なく表示させる画像表示装置の実現に効果がある。
【発明を実施するための最良の形態】
【００１０】
（実施の形態１）
図１は、本発明の第１の実施の形態を示す、画像表示装置の構成原理図である。１は動画変換手段であり、動画像を機器の動作モードや、接続ディスプレイの解像度などによって、所望の解像度に変換（スケーリング）する。２は、ＯＳＤ変換手段であり、静止画、字幕、図形、ユーザＩ／Ｆ用の画像などの非動画像に変換し、必要であれば所望のスケーリングも行う。３は領域外ＯＳＤ生成手段であり、２で表示用に生成された範囲以外のＯＳＤ表示領域用の非動画像を生成する。
【００１１】
４は、前記ＯＳＤ変換手段及び、領域外ＯＳＤ生成手段の出力をＯＳＤ映像選択制御信号の出力によって切り替えるＯＳＤ信号の切り替え手段である。合成手段５は、動画像とＯＳＤをα値などの所望の割合で合成して出力する機能を持つ。
【００１２】
以下、画像表示装置の詳細を説明する。本発明の第１の実施の形態の画像表示装置は、以下に示すようなデジタルテレビ放送を受信するデジタル放送受信機の映像処理部に適用される。
【００１３】
図３は、デジタル放送受信機の概略の構成図である。デジタル放送の電波をアンテナ（図示せず）で受信されたＲＦ信号は、チューナ１００において選局され、デジタル復調処理を行った後、トランスポートストリーム（以下ＴＳという）として、ＴＳデコーダ２００に与えられる。ＴＳデコーダ２００は、指定されたＰＩＤ（Ｐｒｏｇｒａｍ  ＩＤ）を持つトランスポートストリーム信号を選択し、映像、音声のビットストリーム信号を抽出して出力し、ＭＰＥＧ（Ｍｏｔｉｏｎ  Ｐｉｃｔｕｒｅ  Ｅｘｐｅｒｔｓ  Ｇｒｏｕｐ）デコード部３００に与えられる。
【００１４】
ＭＰＥＧデコード部３００では、ＭＰＥＧ形式で圧縮された映像および音声の復号化を行った後、音声信号は、付加音声（効果音）などがあれば、合成され出力される。映像信号は、ＭＰＥＧデコード部３００によって復号化され、メモリ５００上に格納されたＩピクチャ、Ｐピクチャ等の参照用画像を利用しながら画面毎のＭＰＥＧデコード処理を行い、メモリ５００内の表示用メモリ領域に格納される。表示用メモリ領域に格納されたデジタル放送受信映像は、画面上の指定された範囲または所望の解像度へのスケーリング処理を映像処理部４００内の動画変換手段にて実施される。
【００１５】
ＯＳＤ用画面データは、システム制御部６００によって生成されメモリ５００に格納される。ＯＳＤ用画面データは、映像処理部４００内のＯＳＤ変換部でＩｎｄｅｘデータからα値を含むカラーデータに変換され、合成手段において合成され映像出力される。ここでは、ＯＳＤ用画面データをＩｎｄｅｘデータとしたが、メモリ５００上にα値を含むカラーデータとして、展開してもよい。また、ＯＳＤ生成機能以外にも、システム制御部６００はプログラムを格納したＲＯＭ７００、及びメモリ５００を使用して、各ブロックを適切に制御する役目を持つ。例えば、受信している放送チャンネルの選択等がある。
【００１６】
以下、図２は、本発明の実施の形態における解像度変換の一例を示すものである。ここでは、一例として入力動画像が、７５０Ｐフォーマット（有効画素が水平１２８０画素、垂直７２０画素）であり、表示解像度が水平１３６６画素、垂直７６８画素である場合の処理を示している。動画像は図に示すようにスケーリング処理によって、水平は１２８０画素を１３６６画素に変換し、垂直は７２０画素を７６８画素に変換する。
【００１７】
一方、ＯＳＤ信号は、水平１２８０画素、垂直７２０画素で、システム制御部によって生成された後、垂直方向は、７２０画素領域の外側となる部分、つまり
７６８−７２０＝４８ラインと、水平方向は、１２８０画素領域の外側となる部分の、
１３６６−１２８０＝８６画素
の領域に関しては、図１に示すように、領域外ＯＳＤ生成手段によって生成されるＯＳＤ信号によって表示される。この際、領域外ＯＳＤ生成手段から生成されるＯＳＤ信号は、システム制御部によって生成されたＯＳＤ信号の一番外側（端点画像）の繰り返し画像、あるいはシステム制御部によって指定された一つのカラーデータなどを使用する。
【００１８】
図１に示すＯＳＤ映像選択制御信号は、ＯＳＤ用画面データと領域外ＯＳＤとを切り替えるために生成されるタイミング信号であるが、映像信号の水平、垂直同期信号を元に簡便に作成可能であるので、ここでは特に説明しない。
【００１９】
端点画像を使用した繰り返し信号、指定されたカラーデータを使用して領域外ＯＳＤを表示することにより、単一色のＯＳＤ信号が周囲に付加された状態となり、違和感のないＯＳＤ信号を表示することが可能となる。また、本来のＯＳＤ信号は解像度変換を施さずに表示されているので、画質劣化することなく表示することが可能である。生成すべきＯＳＤ信号の解像度としては、使用する機器において、もっとも小さい解像度用にしておくことで他の全ての解像度を持つディスプレイに適用可能である、本発明においては生成すべきＯＳＤ信号の解像度を限定でするものではない。
【産業上の利用可能性】
【００２０】
本発明の画像表示装置は、生成されたＯＳＤ信号と、表示される解像度が異なる場合に、生成ＯＳＤ画像以外の領域用の領域外ＯＳＤ生成手段を持つことで、ＯＳＤ画像を画質劣化させず、かつ違和感なく表示させる画像表示装置の実現が可能となる。
【図面の簡単な説明】
【００２１】
【図１】本発明の１実施の形態を示す画像表示装置のブロック図
【図２】本発明の１実施の形態を示す動画像、ＯＳＤ画像の原理図
【図３】本発明の１実施の形態を示すデジタル放送受信機の概略の構成図
【図４】本発明を使用しない従来の画像表示装置のブロック図
【符号の説明】
【００２２】
１    動画変換手段
２    ＯＳＤ変換手段
３    領域外ＯＳＤ生成手段
４    ＯＳＤ選択手段
５    合成手段
１００    チューナ
２００    ＴＳデコーダ
３００    ＭＰＥＧデコーダ
４００    画像表示処理部
５００    メモリ
６００    システム制御部（ＣＰＵ）
７００    ＲＯＭ
【図１】
2006030353.tif 000003
【図２】
2006030353.tif 000004
【図３】
2006030353.tif 000005
【図４】
2006030353.tif 000006